(57)【特許請求の範囲】
【請求項１】
映像信号のブランキング期間にパルスを挿入し、該パルスに基づいてＣＲＴの管面が発光したときのカソード電流が基準値と等しくなるように制御するカソード電流検出回路において、
映像信号に対してそのブランキング期間に少なくとも２つのパルスを挿入するパルス挿入手段と、
前記２つのパルスの一方に同期したタイミングで、ブランキングをかけるために、前記ＣＲＴのグリッドにグリッド制御信号を供給するグリッド制御手段と、
前記２つのパルスの一方に基づくカソード電流を検出する第１の電流検出手段と、
前記２つのパルスの他方に基づくカソード電流を検出する第２の電流検出手段と、
前記第２電流検出手段の検出結果から、前記第１電流検出手段の検出結果を差し引く減算手段と
を備え、
前記減算手段の出力に基づいて、真のカソード電流を検出する
ことを特徴とするカソード電流検出回路。
【請求項２】
映像信号のブランキング期間にパルスを挿入し、該パルスに基づいてＣＲＴの管面が発光したときのカソード電流が基準値と等しくなるように制御するカソード電流検出回路のカソード電流検出方法において、
映像信号に対してそのブランキング期間に少なくとも２つのパルスを挿入し、
前記２つのパルスの一方に同期したタイミングで、ブランキングをかけるために、前記CRTのグリッドにグリッド制御信号を供給し、カソード電流に含まれるノイズ成分のみを検出し、
前記２つのパルスの他方にブランキングをかけずに、真のカソード電流およびノイズ成分を検出し、
前記２つの検出結果に基づいて、真のカソード電流を検出する
ことを特徴とするカソード電流検出方法。
【発明の詳細な説明】
【０００１】
【産業上の利用分野】
本発明は、ＣＲＴ（陰極線管）のカソード電流検出回路および方法に関する。
【０００２】
【従来の技術】
図９は、従来のＣＲＴのカソード電流検出制御回路の一例を示し、図１０は、図９の従来例の各部の信号波形を示す。映像信号Ａは、加算器２の一方の入力端子に供給される。映像信号Ａの垂直ブランキング期間（図１０（ａ）参照）に、加算器２の他方の入力端子には、ブライトパルスＢ（図１０（ｂ）参照）が供給される。従って、加算器２は、垂直ブランキング期間にブライトパルスが挿入された映像信号を出力し、この映像信号は、直流コントロール回路４を介して、ＮＰＮトランジスタＱ１のベースに供給される。
【０００３】
ＮＰＮトランジスタＱ１のエミッタは、抵抗Ｒ１を介して接地されている。ＮＰＮトランジスタＱ１のコレクタは、直列接続されたダイオードＤ１およびＤ２ならびに抵抗Ｒ２を介してバイアス電圧源に接続されている。すなわち、トランジスタＱ１のコレクタは、ダイオードＤ２のカソードに接続され、ダイオードＤ２のアノードがダイオードＤ１のカソードに接続され、ダイオードＤ１のアノードが抵抗Ｒ２に接続されている。
【０００４】
抵抗Ｒ２とダイオードＤ１との接続点は、ＮＰＮトランジスタＱ２のベースに接続されている。ダイオードＤ２とＮＰＮトランジスタＱ１との接続点は、ＰＮＰトランジスタＱ３のベースに接続されている。ＮＰＮトランジスタＱ２のコレクタは、抵抗Ｒ４を介してバイアス電圧源に接続されている。ＮＰＮトランジスタＱ２のエミッタは、ＰＮＰトランジスタＱ３のエミッタに接続されている。ＰＮＰトランジスタＱ３のコレクタは、抵抗ＲとツェナーダイオードＺＤとの並列回路を介して接地されている。ＮＰＮトランジスタＱ２のエミッタとＰＮＰトランジスタＱ３のエミッタとの接続点は、ＣＲＴ６のカソードに接続されている。ＮＰＮトランジスタＱ２およびＰＮＰトランジスタＱ３は、プッシュプル回路を構成する。従って、直流コントロール回路４から出力された映像信号は、ＮＰＮトランジスタＱ１により増幅された後、ＮＰＮトランジスタＱ２およびＰＮＰトランジスタＱ３からなるプッシュプル回路によって増幅されて、ＣＲＴ６のカソードＫに供給される（図１０（ｃ）参照）。
【０００５】
ＮＰＮトランジスタＱ２のベースとＰＮＰトランジスタＱ３のベースとの間には、スイッチＳＷ１が設けられている。スイッチＳＷ１は、ブライトパルスと同じ持続期間のスイッチ制御パルスによって、ブライトパルスの持続期間中オンとされる。スイッチＳＷ１がオンになると、ＮＰＮトランジスタＱ２は、カットオフし、ＣＲＴ６のカソードＫに与えられたブライトパルスの輝度に応じた真のカソード電流ＩＳが、ＣＲＴ６のカソードＫからＰＮＰトランジスタＱ３のコレクタＩに全て流れ、抵抗Ｒの端子電圧ＩＳＲ（図１０（ｄ）参照）によって、真のカソード電流を検出することができる。
【０００６】
サンプルホールド回路８は、抵抗Ｒの端子電圧ＩＳＲをサンプルホールドし、誤差増幅器１０は、サンプルホールド回路８の出力電圧と基準電圧ＶＲＥＦとの差を直流コントロール回路４にフィードバックし、直流コントロール回路４は、映像信号の直流分を制御することにより（すなわちＣＲＴ６のカソードＫのバイアスを制御することにより）、ブライトパルスによってＣＲＴ６が発光するときのカソード電流ＩＳ（これは、ブライトパルスの輝度と相関がある）が常にＶＲＥＦ／Ｒとなるように制御する。このようにカソード電流を制御して、ＣＲＴおよびその駆動回路の経年変化および温度変化かあっても、ＣＲＴの黒レベルの輝度（３色の場合には、ホワイトバランス）を安定化させている。
【０００７】
他方、水平パルスに応じてパラボラ波形発生器１２から出力される水平パラボラ電圧は、垂直パラボラ波形発生器１４から出力される垂直パラボラ電圧と、加算器１６で加算され、コンデンサＣ１を介して、さらに、直流電圧源に接続された可変抵抗ＶＲおよび抵抗Ｒ５からなるフォーカス回路を介して、ダイナミックフォーカス電圧Ｆ（図１０（ｆ）参照）としてＣＲＴ６のフォーカス電極Ｇ４に供給される。
【０００８】
【発明が解決しようとする課題】
上述した図９のカソード電流検出制御回路は、ＣＲＴ６のカソードＫからプッシュプル回路に流れ込む真のカソード電流ＩＳを検出することはできるが、ＣＲＴ６のカソードＫと他の電極との間の浮遊容量によりカソードＫに流れ込むノイズ電流ＩＮを検出できないという問題がある。
【０００９】
また、ＣＲＴ６の構造上、カソードＫとフォーカス電極Ｇ４の距離が小さい場合には、カソードＫとフォーカス電極Ｇ４との間の容量ＣＦにより、ダイナミックフォーカス電圧がフォーカス電極Ｇ４に供給されると、ダイナミックフォーカス電圧による電流がカソード電流に含まれることになり、真のカソード電流を検出できないという問題がある。
【００１１】
本発明はこのような状況に鑑みてなされたものであり、ＣＲＴのノイズ電流を除いた真のカソード電流を検出できるカソード電流検出回路および方法を提供することにある。
【００１５】
【課題を解決するための手段】
本発明のカソード電流検出方法は、映像信号のブランキング期間にパルスを挿入し、該パルスに基づいてＣＲＴの管面が発光したときのカソード電流が基準値と等しくなるように制御するカソード電流検出回路のカソード電流検出方法において、映像信号に対してそのブランキング期間に少なくとも２つのパルスを挿入し、２つのパルスの一方に同期したタイミングで、ブランキングをかけるために、CRTのグリッドにグリッド制御信号を供給し、カソード電流に含まれるノイズ成分のみを検出し、２つのパルスの他方にブランキングをかけずに、真のカソード電流およびノイズ成分を検出し、上記２つの検出結果に基づいて、真のカソード電流を検出することを特徴とする。
【００１６】
本発明のカソード電流検出回路は、映像信号のブランキング期間にパルスを挿入し、該パルスに基づいてＣＲＴの管面が発光したときのカソード電流が基準値と等しくなるように制御するカソード電流検出回路において、映像信号に対してそのブランキング期間に少なくとも２つのパルスを挿入するパルス挿入手段と、２つのパルスの一方に同期したタイミングで、ブランキングをかけるために、ＣＲＴのグリッドにグリッド制御信号を供給するグリッド制御手段と、２つのパルスの一方に基づくカソード電流を検出する第１の電流検出手段と、２つのパルスの他方に基づくカソード電流を検出する第２の電流検出手段と、第２電流検出手段の検出結果から、第１電流検出手段の検出結果を差し引く減算手段とを備え、減算手段の出力に基づいて、真のカソード電流を検出することを特徴とする。
【００２０】
【作用】
本発明のカソード電流検出方法においては、映像信号に対してそのブランキング期間に少なくとも２つのパルスが挿入され、２つのパルスの一方に同期したタイミングで、ブランキングをかけるために、CRTのグリッドにグリッド制御信号が供給されてカソード電流に含まれるノイズ成分のみが検出され、２つのパルスの他方にはブランキングをかけられずに真のカソード電流およびノイズ成分が検出され、上記２つの検出結果に基づいて、真のカソード電流が検出される。
【００２１】
本発明のカソード電流検出回路においては、パルス挿入手段が、映像信号に対してそのブランキング期間に少なくとも２つのパルスを挿入し、グリッド制御手段が、ＣＲＴのグリッドにグリッド制御信号を供給して２つのパルスの一方に同期したタイミングで、ブランキングをかけ、第１の電流検出手段が、２つのパルスの一方に基づくカソード電流すなわちＣＲＴのカソードに流れ込むノイズ電流を検出し、第２の電流検出手段は、２つのパルスの他方に基づくカソード電流すなわち真のカソード電流およびノイズ成分を検出し、減算手段が、第２電流検出手段の検出結果から、第１電流検出手段の検出結果を差し引いて、真のカソード電流を検出する。
【００２３】
【実施例】
図１は、ＣＲＴのカソードに流れ込むノイズ電流を含めたカソード電流を検出できる本発明のカソード電流検出回路の一実施例の構成を示す。図１中、トランジスタＱ１，Ｑ２およびＱ３、ダイオードＤ１およびＤ２、抵抗Ｒ１およびＲ２、ならびにＣＲＴ６は、上述した図９の従来例と同一である。図９の従来例と異なる点は、プッシュプル回路を構成するＮＰＮトランジスタＱ２のコレクタに、カレントミラー回路ＣＭ１が接続され、プッシュプル回路を構成するＰＮＰトランジスタＱ３のコレクタに、カレントミラー回路ＣＭ２が接続されている点である。
【００２４】
カレントミラー回路ＣＭ１は、バイアス電圧源とＮＰＮトランジスタＱ２のコレクタとの間に接続された抵抗Ｒ６と、バイアス電圧源に接続された抵抗Ｒ７と、抵抗Ｒ７にエミッタが接続されるＰＮＰトランジスタＱ４と、非反転入力端子がＮＰＮトランジスタＱ２のコレクタと抵抗Ｒ６との接続点に接続され、反転入力端子がＰＮＰトランジスタＱ４のエミッタと抵抗Ｒ７の接続点に接続され、出力端子がＰＮＰトランジスタＱ４のベースに接続された演算増幅器Ａ１とからなっている。
【００２５】
カレントミラー回路ＣＭ２は、ＰＮＰトランジスタＱ３のコレクタと接地点との間に接続された抵抗Ｒ８と、接地点に接続された抵抗Ｒ９と、抵抗Ｒ９にエミッタが接続されるＮＰＮトランジスタＱ５と、非反転入力端子がＰＮＰトランジスタＱ３のコレクタと抵抗Ｒ８との接続点に接続され、反転入力端子がＮＰＮトランジスタＱ５のエミッタと抵抗Ｒ９の接続点に接続され、出力端子がＮＰＮトランジスタＱ５のベースに接続された演算増幅器Ａ２とからなっている。
【００２６】
次に、図１の実施例の動作について説明する。カレントミラー回路ＣＭ１のＰＮＰトランジスタＱ４のコレクタに流れる電流は、ＮＰＮトランジスタＱ２のエミッタからＣＲＴ６のカソードＫに流れ込むノイズ電流ＩＮに等しく、カレントミラー回路ＣＭ２のＮＰＮトランジスタＱ５のコレクタに流れる電流は、ＣＲＴ６のカソードＫからＰＮＰトランジスタＱ３のエミッタに流れ込む真のカソード電流ＩＳに等しい。従って、カレントミラー回路ＣＭ１のＰＮＰトランジスタＱ４のコレクタとカレントミラー回路ＣＭ２のＮＰＮトランジスタＱ５のコレクタとの接続点に流れ込む電流ＩＫは、真のカソード電流ＩＳとノイズ電流ＩＮとの和に等しくなる。従って、ＣＲＴ６のカソードに流れ込むノイズ電流を含めたカソード電流を検出できる。
【００２７】
図２は、ＣＲＴのカソードに流れ込むノイズ電流を含めたカソード電流を検出できる本発明のカソード電流検出回路の別の実施例の構成を示す。図２の実施例と図１の実施例との相違は、図２の実施例のカレントミラー回路ＣＭ１が、図１の抵抗Ｒ６および演算増幅器Ａ１の代わりに、バイアス電圧源に接続された抵抗Ｒ１０と、エミッタが抵抗Ｒ１０に接続され、ベースがＰＮＰトランジスタＱ４のベースに接続され、コレクタがＮＰＮトランジスタＱ２のコレクタに接続され、ベースとコレクタが互いに接続されるＰＮＰトランジスタＱ６とを設けている点と、図２の実施例のカレントミラー回路ＣＭ２が、図１の抵抗Ｒ８および演算増幅器Ａ２の代わりに、接地点に接続された抵抗Ｒ１１と、エミッタが抵抗Ｒ１１に接続され、ベースがＮＰＮトランジスタＱ５のベースに接続され、コレクタがＰＮＰトランジスタＱ３のコレクタに接続され、ベースとコレクタが互いに接続されるＮＰＮトランジスタＱ７とを設けている点とにある。図２のカレントミラー回路ＣＭ１およびＣＭ２の作用は、図１のカレントミラー回路ＣＭ１およびＣＭ２の作用と同一であり、図２の実施例も、ＣＲＴ６のカソードに流れ込むノイズ電流を含めたカソード電流を検出できる。
【００２８】
図３は、ＣＲＴのノイズ電流を除いた真のカソード電流を検出できる本発明のカソード電流検出回路の一実施例の構成を示し、図４は、図３の実施例の各部の信号波形を示す。図３中、トランジスタＱ１，Ｑ２およびＱ３、ダイオードＤ１およびＤ２、抵抗Ｒ１およびＲ２、ＣＲＴ６、カレントミラー回路ＣＭ１、ならびにカレントミラー回路ＣＭ２は、図１の実施例と同一である。
【００２９】
映像信号Ａは、加算器２の一方の入力端子に供給される。映像信号Ａの垂直ブランキング期間（図４（ａ）参照）に、加算器２の他方の入力端子には、２つのブライトパルスＢ（図４（ｂ）参照）が供給される。従って、加算器２は、垂直ブランキング期間に２つのブライトパルスが挿入された映像信号を出力し、この映像信号は、直流コントロール回路４を介して、ＮＰＮトランジスタＱ１のベースに供給される。
【００３０】
直流コントロール回路４から出力された２つのブライトパルスを含む映像信号は、ＮＰＮトランジスタＱ１により増幅された後、ＮＰＮトランジスタＱ２およびＰＮＰトランジスタＱ３からなるプッシュプル回路によって増幅されて、ＣＲＴ６のカソードＫに供給される。
【００３１】
他方、２つのブライトパルスのうち最初のブライトパルスにブランキングをかけるために、最初のブライトパルスに同期したタイミングで、ＣＲＴ６のグリッドＧ１にグリッド制御信号ＧＣ（図４（ｆ）参照）が供給される。
【００３２】
カレントミラー回路ＣＭ１のＰＮＰトランジスタＱ４のコレクタとカレントミラー回路ＣＭ２のＮＰＮトランジスタＱ５のコレクタとの接続点に流れ込む電流Ｉは、ブランキングがかけられた最初のブライトパルスに関してはノイズ電流ＩＮのみであり、ブランキングがかけられない２番目のブライトパルスに関しては真のカソード電流ＩＳとノイズ電流ＩＮとの和となる。
【００３３】
Ｉ‐Ｖ（電流‐電圧）コンバーター２０は、カレントミラー回路ＣＭ１のＰＮＰトランジスタＱ４のコレクタとカレントミラー回路ＣＭ２のＮＰＮトランジスタＱ５のコレクタとの接続点に流れ込む電流を電圧に変換する。従って、Ｉ‐Ｖコンバーター２０は、最初にノイズ電流ＩＮを電圧に変換した電圧Ｖ（ＩＮ）を出力し、次に真のカソード電流ＩＳとノイズ電流ＩＮとの和を電圧に変換した電圧Ｖ（ＩＳ＋ＩＮ）を出力する（図４（ｃ）参照）。
【００３４】
サンプルホールド回路２２は、最初のブライトパルスと同期したサンプリングパルスＧ（図４（ｄ）参照）に従って、Ｉ‐Ｖコンバーター２０から出力される電圧Ｖ（ＩＮ）をサンプルホールドし、サンプルホールド回路２４は、次のブライトパルスと同期したサンプリングパルスＨ（図４（ｅ）参照）に従って、Ｉ‐Ｖコンバーター２０から出力される電圧Ｖ（ＩＳ＋ＩＮ）をサンプルホールドする。減算器２６は、サンプルホールド回路２４の出力電圧Ｖ（ＩＳ＋ＩＮ）からサンプルホールド回路２２の出力電圧Ｖ（ＩＮ）を差し引く。減算器２６の出力電圧Ｖ（ＩＳ）は、真のカソード電流ＩＳを示すものである。
【００３５】
誤差増幅器２８は、減算器２６の出力電圧Ｖ（ＩＳ）と基準電圧ＶＲＥＦとの差を直流コントロール回路４にフィードバックし、直流コントロール回路４は、映像信号の直流分を制御することにより（すなわちＣＲＴ６のカソードＫのバイアスを制御することにより）、ブライトパルスによってＣＲＴ６が発光するときのカソード電流ＩＳ（これは、ブライトパルスの輝度と相関がある）が常に基準電圧ＶＲＥＦに対応した電流となるように制御する。
【００３６】
図５は、ＣＲＴのノイズ電流を除くことができないカソード電流検出回路の一例を示し、図６は、図５の例の各部の信号波形を示す。図５のように、映像信号Ａの垂直ブランキング期間にブランキングをかけることなく１つのブライトパルスのみを挿入し（図６（ｂ）参照）、Ｉ‐Ｖコンバーター２０から、真のカソード電流ＩＳとノイズ電流ＩＮとの和を電圧に変換した電圧Ｖ（ＩＳ＋ＩＮ）を出力させ（図６（ｃ）参照）、サンプルホールド回路２４によって、ブライトパルスと同期したサンプリングパルスＨ（図６（ｄ）参照）に従って、Ｉ‐Ｖコンバーター２０から出力される電圧Ｖ（ＩＳ＋ＩＮ）をサンプルホールドさせ、誤差増幅器３８から、サンプルホールド回路２４の出力電圧Ｖ（ＩＳ＋ＩＮ）と基準電圧ＶＲＥＦとの差を直流コントロール回路４にフィードバックさせると、ノイズ電流ＩＮが変動しなければ問題ないが、水平走査周波数ｆＨが変化すると、ノイズ電流ＩＮが変化し、この変化量を打ち消すように、真のカソード電流ＩＳも変化し、輝度（３色の場合、ホワイトバランス）の変動を避ける事ができない。また、複数のテレビジョンセット間に同一の基準電圧ＶＲＥＦを与えても、セット間でノイズ電流ＩＮが異なるため、同一の真のカソード電流ＩＳを得ることができない。すなわち、複数のセットが、同一データで同一輝度を得ることができない。
【００３７】
これに対し、図３の実施例は、水平走査周波数ｆＨの変動の影響を受けないので、マルチスキャンモデルでも、正確なカソード電流を検出できる。また、複数のセットが、同一データで同一輝度を得ることができるから、リモコンのような外部コントロールにより、複数セットのホワイトバランスを同一データで同時に制御することが可能となる。
【００３８】
図７は、ダイナミックフォーカス電圧に基づくノイズ電流を除いた真のカソード電流を検出できる本発明のカソード電流検出回路の一実施例の構成を示し、図８は、図７の実施例の各部の信号波形を示す。この実施例は、図９の従来の回路において、加算器１６とコンデンサＣ１との間にスイッチＳＷ２を設ける。スイッチＳＷ２は、ブランキング期間以外の期間、端子Ｔ１側を接続状態にして、加算器１６からのパラボラ波形をコンデンサＣ１に供給し、ＣＲＴ６のフォーカス電極Ｇ４に、ダイナミックフォーカス電圧波形を供給する。
【００３９】
スイッチＳＷ２は、ブランキング期間中、接地点に接続された端子Ｔ２を接続状態にして、ダイナミックフォーカス波形をオフにして、ＣＲＴ６のフォーカス電極Ｇ４に、直流電圧のみを供給する。従って、ＣＲＴ６のカソードＫとフォーカス電極Ｇ４との間に浮遊容量が存在しても、ダイナミックフォーカス電圧に起因したノイズ成分がカソード電流に流れ込むのを防止できる。なお、スイッチＳＷ２をオフにする（端子Ｔ２側にする）期間は、最小ブライトパルス期間、最大ブランキング期間の中の任意の位置でよい。
【００４０】
図７の実施例によれば、検出電流のＳ／Ｎ比を改善でき、正確なカソード電流を検出できる。また、検出電流のＳ／Ｎ比を従来並みに設定すれば、ノイズ成分が小さくなるため、信号成分を小さくできる。すなわち、ＣＲＴの画面（管面）に表示されるブライトパルスの輝度を暗くできるので、暗い画像のときに目立つ、ブライトパルスが有効画面内に写り込む影響を小さくできる。
【００４１】
なお、上記実施例においては、カソードＫにブライトパルスを供給し、カソードＫのバイアスを制御しているが、グリッドＧ１またはＧ２にパルスを供給し、グリッドＧ１またはＧ２のバイアスを制御してもよい。
【００４４】
【発明の効果】
本発明のカソード電流検出方法によれば、映像信号に対してそのブランキング期間に少なくとも２つのパルスを挿入し、２つのパルスの一方に同期したタイミングで、ブランキングをかけるために、CRTのグリッドにグリッド制御信号を供給してカソード電流に含まれるノイズ成分のみを検出し、２つのパルスの他方にはブランキングをかけずに真のカソード電流およびノイズ成分を検出するようにしたので、上記２つの検出結果に基づいて、真のカソード電流のみを検出できる。
【００４５】
本発明のカソード電流検出回路によれば、パルス挿入手段が、映像信号に対してそのブランキング期間に少なくとも２つのパルスを挿入し、グリッド制御手段が、ＣＲＴのグリッドにグリッド制御信号を供給して２つのパルスの一方に同期したタイミングで、ブランキングをかけ、第１の電流検出手段が、２つのパルスの一方に基づくカソード電流すなわちＣＲＴのカソードに流れ込むノイズ電流を検出し、第２の電流検出手段が、２つのパルスの他方に基づくカソード電流すなわち真のカソード電流およびノイズ成分を検出し、減算手段が、第２電流検出手段の検出結果から、第１電流検出手段の検出結果を差し引くので、減算手段の出力から真のカソード電流のみを検出することができる。
【図面の簡単な説明】
【図１】ＣＲＴのカソードに流れ込むノイズ電流を含めたカソード電流を検出できる本発明のカソード電流検出回路の一実施例の構成を示す回路図である。
【図２】ＣＲＴのカソードに流れ込むノイズ電流を含めたカソード電流を検出できる本発明のカソード電流検出回路の別の実施例の構成を示す回路図である。
【図３】ＣＲＴのノイズ電流を除いた真のカソード電流を検出できる本発明のカソード電流検出回路の一実施例の構成を示す回路図である。
【図４】図３の実施例の各部の信号波形を示す波形図である。
【図５】ＣＲＴのノイズ電流を除くことができないカソード電流検出回路の一例を示す回路図である。
【図６】図５の例の各部の信号波形を示す波形図である。
【図７】ダイナミックフォーカス電圧に基づくノイズ電流を除いた真のカソード電流を検出できる本発明のカソード電流検出回路の一実施例の構成を示す回路図である。
【図８】図７の実施例の各部の信号波形を示す波形図である。
【図９】従来のＣＲＴのカソード電流検出制御回路の一例を示す回路図である。
【図１０】図９の従来例の各部の信号波形を示す波形図である。
【符号の説明】
２  加算器
４  直流コントロール回路
６  ＣＲＴ
８  サンプルホールド回路
１０  誤差増幅器
１２  パラボラ波形発生器
１４  垂直パラボラ波形発生器
１６  加算器
２０  Ｉ‐Ｖコンバーター
２２，２４  サンプルホールド回路
２６  減算器
２８  誤差増幅器
ＣＭ１，ＣＭ２  カレントミラー回路
ＳＷ２  スイッチ
【図１】
0003611582.tif 000002
【図２】
0003611582.tif 000003
【図３】
0003611582.tif 000004
【図４】
0003611582.tif 000005
【図５】
0003611582.tif 000006
【図６】
0003611582.tif 000007
【図７】
0003611582.tif 000008
【図８】
0003611582.tif 000009
【図９】
0003611582.tif 000010
【図１０】
0003611582.tif 000011